(57)【要約】  本発明は多面洗浄振動歯ブラシに関するものとして、伸縮性のある素材の底部（１１）と、底部（１１）の上面に歯ブラシの毛（１２）を固定させるための歯ブラシの毛の固定部（１２）を含むが、前記底部（１３）上には複数の歯ブラシの毛（１２）が複数列で配置され、底部（１１）は長さ方向に沿って三つの部分に分けられ、「コ」字形に折れてヘッド部（１４）を形成し、底部（１１）の裏には歯ブラシのハンドル部（１６）が結合され、ヘッド部（１４）は「コ」字形に折れた状態で歯に密着するが、歯の配列形態によって洗浄し易くするために、長めに広がった「Ｉ」字形モードと丸く曲げられた「Ｕ」字形モードを持つようにして、ヘッド部（１４）に歯ブラシのハンドル部（１６）が結合される。【選択図】図４
2019537495.tif 000002
【特許請求の範囲】
【請求項１】
多面洗浄振動歯ブラシであって、
伸縮性のある素材の底部（１１）上には、複数の歯ブラシの毛（１２）が複数列で配置され、底部（１１）は長さ方向に沿って三つの部分に分けられて、「コ」字形に折れてヘッド部（１４）を形成し、
底部（１１）の裏には歯ブラシのハンドル部（１６）が結合し、
ヘッド部（１４）は「コ」字形で折れた状態で歯に密着するが、歯の配列形態によって洗浄し易くするために、長めに広がった「Ｉ」字形モードと丸く曲げられた「Ｕ」字形モードを備え、
ヘッド部（１４）に歯ブラシのハンドル部（１６）が結合される、多面洗浄振動歯ブラシ。
【請求項２】
前記ハンドル部（１６）の終端には第１羽（１７）と第２羽（１８）が附着し、「Ｉ」字形モードである時は二つの羽がハンドル部（１６）の長さ方向と同じ方向に広がり、「Ｕ」字形モードである時は第１羽（１７）と第２羽（１８）が鋭角を成しながら広がる、請求項１に記載の多面振動洗浄歯ブラシ。
【請求項３】
前記第１羽（１７）と第２羽（１８）は同じ回転軸を利用して回転し、各々の羽の回転軸の側に第１掛け軸（２１）と第２掛け軸（２２）が形成されており、第１掛け軸は長めな楕円形であり、楕円の内側より中方へ陥入した部分を持ち、第２掛け軸（２２）は円状形であり、スイッチ（１６）の掛け具（２３）で押すと、第２掛け軸（２２）は掛け具（２３）によってそのまま押されて回転して、第１掛け軸（２１）の内側で一度ぶつかった後、終端に触れるようにして、第１羽（１７）と第２羽（１８）の移動距離が異なるようにして、「Ｉ」字形モードを「Ｕ」字形モードに変換する、請求項２に記載の多面振動洗浄歯ブラシ。
【請求項４】
底部（１１）の上面に歯ブラシの毛（１２）を固定させるための歯ブラシの毛の固定部（１２）を含み、前記多面洗浄歯ブラシはバイブレーターを備えて振動による歯ブラシの毛の振動で洗浄を行い、第１掛け軸（２２）と第２掛け軸の組み合わせの形状によって様々な位置に設定される、請求項３に記載の多面洗浄振動歯ブラシ。
【請求項５】
前記第１羽（１７）と第２羽（１８）は各々ギアに繋がれて動くが、中心にあるギアの螺糸山の稠密度によって各々のギアが動く程度が変化して「Ｉ」字形モードと「Ｕ」字形モードを変換する、請求項３に記載の多面振動洗浄歯ブラシ。
【請求項６】
前記第１羽（１７）と第２羽（１８）はスプリングによる復元力によって「Ｉ」字形モードより「Ｕ」字形モードに変換する、請求項３に記載の多面振動洗浄歯ブラシ。
【発明の詳細な説明】
【技術分野】
【０００１】
本発明は振動を利用した多面洗浄歯ブラシに関する。
【背景技術】
【０００２】
本発明は振動を利用した多面洗浄歯ブラシに関し、振動とは超音波、音波を含めて歯ブラシの毛を動かすための手段を言う。人の歯の健康を維持するためには、歯磨きを通じ歯間に挟まれる異物を除去することが重要である。しかし、歯磨きをする際、歯磨きをどのようにするかも重要であるが、歯は多数が弧を描きながら連続して配置されており、隅々まで正しく磨かないと、歯磨きをしても異物が除去できず、残された異物は歯石になって、歯茎に炎症を起こしたり虫歯を発生させたりする。
【０００３】
従来は歯の立っている方向に対して垂直に磨く方法がよく使われているが、この方法は磨いている本人はよく磨けているように感じるが、実際に歯間に挟まれている異物を除去する効果は非常に少ない。歯間に挟まれる異物を除去する効果を高めるためには、歯の立っている方向と同じ方向に歯磨きをしなければならないし、歯間に歯ブラシの毛が入るようにして歯磨きをした方が良く、歯間ブラシのようなものを使うことも効果的である。
【０００４】
また、歯は多面体なので、歯の裏面や上面等も気をつけて磨くようにした方が良いが、口内の構造から歯の裏面まで磨くことはとても難しく、特に前歯の裏側や一番奥の奥歯と歯茎の合う部分は、通常の歯ブラシでは磨く時に歯ブラシの方向と腕の方向がよく合わないため、より磨くのが難しい。
【０００５】
最近は電動歯ブラシが使われ、振動を利用して歯間に挟まれる異物を除去するが、ある程度効果はあるものの、前歯の裏側や一番奥の奥歯あるいは他の歯の裏面などを磨くには、バイブレーターを除けば既存の歯ブラシと同様の構造をしているため、磨くのが難しいことは同様であった。
【０００６】
従来、特許文献１で登録された「多面洗浄歯ブラシ」は歯の三面が磨けるもので、特許文献２の「音波洗浄振動歯ブラシ」は歯の構造に合わせて個別的に歯の挿入されるマウスピース形態を成形する必要がなく、歯ブラシの毛の交換が容易で、三面を一度に磨け、振動によって洗浄される歯ブラシを提供している。しかし、前者は歯を一本ずつ磨くのに相変らず努力が必要で、人の歯は曲線で配置された部分と直線で配置された部分があるが、後者は直線部分の歯を磨くことが難しかった。また、後者はサイズが大きいため、口内に入れにくい短所があった。
【先行技術文献】
【特許文献】
【０００７】
【特許文献１】韓国登録実用新案第２００３９１９２２号公報
【特許文献２】韓国登録特許第１０−１６６１１０８号公報
【発明の概要】
【発明が解決しようとする課題】
【０００８】
本発明は前述したような問題点を解決するために案出された物として、振動を利用して口内の歯を隅々まで磨けるようにする多面洗浄歯ブラシを提供することを目的とする。
【課題を解決するための手段】
【０００９】
前述したような目的を達成するために多面洗浄振動歯ブラシを提供するが、伸縮性のある素材の底部（１１）上には、複数の歯ブラシの毛（１２）が複数列で配置され、底部（１１）は長さ方向に三つの部分に分けられて「コ」字形で折れてヘッド部（１４）を形成し、底部（１１）の裏には歯ブラシのハンドル部（１６）が結合され、ヘッド部（１４）は「コ」字形で折れた状態で歯に密着するが、歯の配列形態によって洗浄し安くするために長めに広がった「Ｉ」字形モードと丸く曲げられたＵ字形モードを備え、ヘッド部（１４）に歯ブラシのハンドル部（１６）が結合されることがある。
【００１０】
前記ハンドル部（１６）の終端には第１羽（１７）と第２羽（１８）が附着して、「Ｉ」字形モードである時は二つの羽がハンドル部（１６）の長さ方向と同じ方向で広がり、「Ｕ」字形モードである時は第１羽（１７）と第２羽（１８）が鋭角を成しながら広がるようにすることができる。
【００１１】
前記第１羽（１７）と第２羽（１８）は同じ回転軸を利用して回転し、各々の羽の回転軸の側に第１掛け軸（２１）と第２掛け軸（２２）が形成されているが、第１掛け軸は長めな楕円形で楕円の内側より中方へ陥入した部分を持っており、第２掛け軸（２２）は円状形であり、スイッチ（１６）の掛け具（２３）で押す時、第２掛け軸（２２）は掛け具（２３）によってそのまま押されて回って第１掛け軸（２１）の内側で一度ぶつかった後、終端に触れるようにして、第１羽（１７）と第２羽（１８）の移動距離を変えることによって「Ｉ」字形モードより「Ｕ」字形モードに切り替わるようにできる。
【００１２】
底部（１１）上面に歯ブラシの毛（１２）を固定させるための歯ブラシの毛の固定部（１２）を含めて、前記の多面洗浄歯ブラシは振動発生器を備え、振動による歯ブラシの毛の振動で洗浄を行い、第１掛け軸（２２）と第２掛け軸の組み合わせの形状によって多様な位置に設定できる。
【００１３】
前記の第１羽（１７）と第２羽（１８）は、各々ギアに繋がれて動くが、中心にあるギアの螺糸山の稠密度によって各々のギアの動く程度が変わるようにして「Ｉ」字形モードと「Ｕ」字形モードを変換することができる。
【００１４】
前記の第１羽（１７）と第２羽（１８）は、スプリングによる復元力によって「Ｉ」字形モードより「Ｕ」字形モードに変換することができる。
【発明の効果】
【００１５】
前述のような多面洗浄歯ブラシによって歯の隅々を磨けるようにする効果により、第３者も他人の歯を磨きやすくする効果を持つ。
【図面の簡単な説明】
【００１６】
【図１】本発明による一実施例を図示する図面である。
【図２】本発明による一実施例を図示する図面である。
【図３】歯の模型を図示する図面である。
【図４】本発明による一実施例を図示する図面である。
【図５】本発明による一実施例を図示する図面である。
【図６】歯ブラシ部を丸い形に作るための構造を図示する図面である。
【図７】第１羽（１７）と第２羽（１８）を図示する図面である。
【図８】本発明による一実施例を図示する図面である。
【図９】本発明による一実施例を図示する図面である。
【図１０】本発明による一実施例を図示する図面である。
【図１１】本発明による一実施例を図示する図面である。
【図１２】本発明による一実施例を図示する図面である。
【図１３】本発明による一実施例を図示する図面である。
【図１４】本発明による一実施例を図示する図面である。
【図１５】スイッチと調節段（３１）の動きによって、第１羽（１７）と第２羽（１８）が動くことを図示する図面である。
【図１６】スイッチと調節段（３１）の動きによって、第１羽（１７）と第２羽（１８）が動くことを図示する図面である。
【図１７】スイッチと調節段（３１）の動きによって、第１羽（１７）と第２羽（１８）が動くことを図示する図面である。
【発明を実施するための形態】
【００１７】
多面洗浄振動歯ブラシとして、伸縮性のある素材の底部（１１）上には、複数の歯ブラシの毛（１２）が複数列で配置され、底部（１１）は長さ方向に三つの部分に分けられて「コ」字形で折れてヘッド部（１４）を形成し、底部（１１）の裏には歯ブラシのハンドル部（１６）が結合され、ヘッド部（１４）は「コ」字形に折れた状態で歯に密着するが、歯の配列形態によって洗浄し易くするために、長めに広がった「Ｉ」字形モードと丸く曲げられた「Ｕ」字形モードを備え、ヘッド部（１４）に歯ブラシのハンドル部（１６）が結合される。
【００１８】
以下、添付した図面を参照して本発明を詳細に説明する。図１は本発明による振動多面洗浄歯ブラシの歯ブラシ部の一実施例を図示する図面である。図面に提示された形状は一実施例に過ぎず、色も他の構成部と区別するために対比のよくできる色を選んだものとして権利範囲を制限しない。
【００１９】
底部（１１）の上側には歯ブラシの毛（１２）が植えられているが、歯ブラシの毛（１２）の固定のために歯ブラシの毛の固定部（１３）上に歯ブラシの毛（１２）が植えられる。底部（１１）は伸縮性のある材質として、前方や後方へ引っぱった時に「Ｉ」字形であったものが「Ｕ」字に近い形にしなうことができる形で、ザバラに似ている構造を持ったもので、Ｕ字形モードになる時は折れたものが広がる形態であることもある。
【００２０】
底部（１１）は直接歯ブラシの毛（１２）を植えにくいため、歯ブラシの毛の固定部（１３）上に歯ブラシの毛（１２）を固定することになる。歯ブラシの毛の固定部（１３）はシリコーン以外に、歯、歯ブラシ等に使用可能で歯ブラシの毛を固定することのできる材質ならいずれの材質でも使用できる。また、好ましくは、底部（１２）の動きにしたがって、歯ブラシの毛の固定部（１３）も変形されるようにある程度の弾性を持つ材質を使う。
【００２１】
実施例で歯ブラシの毛（１２）は２列で一組となった歯ブラシの毛の組を６列植えたが、歯ブラシの毛の数は、大人、子供、乳児、あるいは使用目的によって変えることができる。
【００２２】
また、図面に使われた歯ブラシの毛は、通常使われる歯ブラシの毛と類似しているが、歯間ブラシに使われるものと同じ歯ブラシの毛を使うこともできる。この場合、歯間の異物の除去がより容易になることがあり、その他の形態の歯ブラシの毛も全て適用できる。
【００２３】
歯ブラシの毛の種類によっては、歯ブラシの毛の固定部（１２）が無く、底部（１１）の上面に歯ブラシの毛が植えられることがある。そのために、好ましくは、底部は伸縮性、弾力性のすぐれた材質にする。また、歯ブラシの毛の部分を高熱で溶かして底部（１１）に付ける形にできる。
【００２４】
歯の３面を磨くために、底部（１１）は三つの部分に折られるが、このような形態は図２で図示される。三つで折られる底部（１１）の各々の面に形成される歯ブラシの毛（１２）の数と種類は変わることがあり、底部（１１）が折れる部分と折れる角度は必要に応じて変えることができる。
【００２５】
この状態で歯磨きをする場合は、バイブレーターを作動させて歯磨きをするが、バイブレーターの作動と構造は既に告示されたもので、本出願人の他の出願やその他文献にも記載されているので省略する。但し、バイブレーターを作動させると、３面に附着している歯ブラシの毛（１２）が振動しながら、密着している歯あるいは歯間にある異物を除去することになる。
【００２６】
しかし、図２のように折れた状態でもヘッド部が長めな状態で使われるのは、歯列が直線状になっている部分を磨く時で、前歯を磨く時は前歯の形に合わせて歯ブラシがしなった方が好ましい。
【００２７】
図３は歯の模型を図示するが、前歯は曲線でしなっており、奥歯は直線状であるため、各々の歯を磨くためには、歯の配列によって歯ブラシの形状が変わることが重要である。
【００２８】
図４、５は本発明による一実施例を図示するが、実際の製品に、より近く描いたもので、底部（１１）に歯ブラシの毛（１２）がそのまま植えられている形態で、弾性のある素材を使ってＵ字形に曲がっていることが示されている。
【００２９】
図４は底部（１１）が前歯の形に合わせてしなう状態を図示するが、底部（１１）は伸縮性のある材質を使うため、図のように曲がることがあって、曲がった状態でも歯ブラシの毛はバイブレーターによって作動するので、歯と歯間を隅々まで磨くことが可能になる。
【００３０】
図５は底部（１１）が「Ｉ」字形を成している形態を図示する。図４、５に図示された歯ブラシの毛は一実施例に過ぎず、通常使用する歯ブラシの毛や歯間ブラシなどのように従来の歯ブラシの毛が使われることがある。特に、歯間に歯ブラシの毛が入っていくためには、歯間ブラシの形が有利である。
【００３１】
図６は歯ブラシ部を丸い形に作るための構造を図示する。図６で左側はハンドル部（１５）のスイッチ（１５）を引っ張った状態であり、右側はハンドル部（１６）のスイッチを押した状態である。スイッチ部（１５）を引っ張った状態では、第１羽（１７）と第２羽（１８）が一直線を成した状態になり、スイッチを押すと、第１羽（１７）は少し右側に回転をして、第２羽（１８）は第１羽よりも多く回転して、Ｖ字形を成すことになる。第１羽（１７）と第２羽（１８）に図２、３などで図示されたヘッド部（１４）が結合するが、第１羽（１７）と第２羽（１８）が開かれた状態ではヘッド部が一直線になり、Ｖ字形を成している状態ではヘッド部が図３のようにＵ字形を成すことになる。これはハンドル部（１６）の下のスイッチを押したり引いたりすることで両モードを切り替えるが、図５でその構造を図示する。
【００３２】
図７には第１羽（１７）と第２羽（１８）が図示されるが、これは図６に図示された各々の羽と置き換えてもよく、図６に図示された各々の羽を結合する手段を示したものであってもよい。図７の第１羽（１７）には第１回転軸（１９）と第１掛け軸（２１）が形成され、第２羽（１８）には第２回転軸（２０）と第２掛け軸（２２）が形成される。第１回転軸（１９）と第２回転軸（２０）は同じ回転軸を中心に回転するように、ハンドル部（１６）に形成された回転軸を中心に回転する。一方、第１掛け軸（２１）と第２掛け軸（２２）はスイッチ（１５）の終端に形成される掛け具（２３）によって作動するが、掛け具（２３）を第１掛け軸（２１）と第２掛け軸（２２）に掛けた状態で押したり引いたりする時、第２掛け軸（２２）は掛け具のない円状形なので、押されるか引かれ続けることになる。一方、第１掛け軸（２１）は上部と下部に分けられ、中間に内側へ突出した部位があり、楕円の中間部分が狭くなった形状であって、スイッチ（１５）を押すと掛け具（２３）が第１掛け軸（２１）の内側の一番上段にぶつかるのではなく、突出した部位にぶつかることになり、その間、第２掛け軸（２２）の内側には掛け具（２３）がぶつかりながら第２羽（１８）を回転させることになる。内側にスイッチをさらに押して掛け具（２３）が第１掛け軸（２１）の内側の終端にぶつかるようになると、この時点から第１羽（１７）が回転する。すなわち、第１羽（１７）は第２羽（１８）より遅く回転することになり、動く距離が少なくなって、Ｖ字形をすることになる。引く時は前述の反対で作動することになって、再び「Ｉ」字形を形成することになる。
【００３３】
このような構造によって、歯ブラシのヘッド部がＩ字形を成すかＵ字形を成すようにしながら、各々の場合に前歯や奥歯の形状に合わせて歯ブラシを入れてバイブレーターを作動させることで、面での歯の洗浄が可能になる。歯ブラシのヘッド部はいつでも交換が可能で、簡単な構造によって製作が可能で、製作単価も低くなる。
【００３４】
図８はもう一つの実施例を図示するもので、第１掛け軸と第２掛け軸の形態が図６に図示されたものと異なる。図３に図示されるように、人の歯を左から右に磨く時、歯を正しく磨くためには歯ブラシがＩ字形−Ｕ字形−Ｉ字形に変換されることが好ましい。そのため、第１羽は１２時−２時−６時を示しながら動き、第２羽は６時−１０時−１２時を示しながら動くことが好ましい。このような運動は第１掛け軸（２１）と第２掛け軸（２２）の組み合わせの形状によって変わるが、上記で説明したように、第１掛け軸（２１）と第２掛け軸（２２）を引っ張ったり押したりする時、その内壁が力をどれだけ長い時間受けるのかによって変わる。３種の位置を持つようにするためには、第１掛け軸（２１）と第２掛け軸（２２）が三つの部分に分けられるようにするが、各々の部分で触れる時間によって第１羽（１７）と第２羽（１８）の動く距離が変わることになる。第１掛け軸（２１）と第２掛け軸（２２）の組み合わせを他の形状にすると、必要によって多様な位置で動かすことができる。
【００３５】
図９はもう一つの実施例を図示するものとして、第１羽（１７）と第２羽（１８）に底部（１１）が結合することを図示する。第１羽（１７）と第２羽（１８）を動かすために、ハンドル部にスイッチが内蔵されており、スイッチは、様々な形に変形させて使うことができる。
【００３６】
図１０はもう一つの実施例を図示するものとして、第１羽と第２羽をスイッチで動くようにするのではなく、ベアリングを利用してより自由に歯ブラシの毛部分が動くようにしたものである。しかし、ベアリングを利用した時には過度に動いて歯磨きが正しくできない場合が生ずることがある。
【００３７】
図１１はもう一つの実施例を図示するものとして、第１羽（１７）と第２羽（１８）を作動させる時、第１羽（１７）と第２羽（１８）の移動距離が異なるようにするために、ギアを使った形態を図示する。第１羽（１７）に附着するギアと第２羽（１８）に附着するギアは、相互異なるサイズあるいは回転数を備えるようにして、第１ギア（２４）の回転数に比べて第２ギア（２５）の回転数をより多くすると、結果的に第２羽（１８）がより動くようになって、図４と同じ形になる。本発明では第１羽（１７）と第２羽（１８）を動かす時、ギアを使うと、中心にあるギアの螺糸山を稠密にしたり粗くしたりして各々の羽の動く距離を変えることもできる。このような形によって羽が作る角度を変化させることができる。
【００３８】
図１２はもう一つの実施例を図示するものとして、第１羽（１７）と第２羽（１８）の動きをスプリングによって構成したものである。前に図示したように、第１羽（１７）と第２羽（１８）が各々２ヶ所のみを行き来する場合、図示のようにスプリングを利用して押したり引いたりする力がなくなると、復元力によって元の位置に来るようにできる。図７で左側の第２羽（１８）は普段は下方へ引かれている状態であるが、第２羽（１８）を引いていたスイッチが解除されれば復元力によって上方へ上がり、第１羽も同じ原理によって動くことができる。スプリングの作動方向を反対にすると、復元力が発生する位置を変えることができる。
【００３９】
図１３はもう一つの実施例を図示するが、ヘッド部が上下に付いた形を図示している。人の歯は上下がかみ合わせて形成されているので、図１３のように二つのヘッド部を突き合わせて付ければ、下側の歯と上側の歯を一緒に磨くことができ、各々のヘッド部は相互独立的に動くことができる。
【００４０】
図１４はもう一つの実施例を図示するが、第１羽（１７）と第２羽（１８）には各々第１掛け軸（２１）と第２掛け軸（２２）が形成されており、第１回転軸（１９）と第２回転軸（２０）が付いていて回転軸を中心に回転し、第２羽（１８）が第１羽（１７）の上に置かれ、第１羽（１７）と第２羽（１８）は歯ブラシの毛が植えられる底部と、第１回転軸（１９）と第１掛け軸（２１）が形成される回転部に分けられる。回転部は底部から段差のついた下側に形成されて、回転部と底部の境界部はその上に置かれた第２羽（１８）が回転するように丸い形態をしている。第１掛け軸（２１）は回転軸に沿って弧の形をしており、第２掛け軸（２２）は穴の形をしており、第２羽（１８）が第１羽の上に置かれて回転し、スイッチ（１５）の終端には左右に回転可能な調節段（３１）が形成され、調節段（３１）が第２掛け軸（２２）に固定されて、第１掛け軸の空いた空間の間で動くようになっており、スイッチの終端で調節段（３１）が左右で動くと、第２羽（１８）が第１羽の上に置かれて動くが、調節段（３１）が第１掛け軸（２１）にかかる程度によって第１羽（１７）と第２羽（１８）が相互異なる位置できて、第１羽（１７）が動くと第１掛け軸（２１）の位置も変化するようになるが、第１掛け軸（２１）が長い形態なので、第２羽（１８）と動く程度が異なる。図１４は第１羽と第２羽とスイッチ、調節団（３１）のみを図示している。回転部は第１羽や第２羽のどちらにも形成される。
【００４１】
図１５、１６、１７はスイッチと調節段（３１）の動きによって、第１羽（１７）と第２羽（１８）が動くことを図示する。第１羽（１７）と第２羽（１８）の位置は、第１掛け軸（２１）と第２掛け軸（２２）の組み合わせの形状によって変わることがある。
【産業上の利用可能性】
【００４２】
前述したような多面洗浄歯ブラシによって、歯の隅々を磨けるようにする効果により、第３者も他人の歯を磨き易くする効果を持つ。
【符号の説明】
【００４３】
１１  底部
１２  歯ブラシの毛
１３  歯ブラシの毛の固定部
１４  ヘッド部
１５  ハンドル部
１６  スイッチ
１７  第１羽
１８  第２羽
１９  第１回転軸
２０  第２回転軸
２１  第１掛け軸
２２  第２掛け軸
２３  掛け具
２４  第１ギア
２５  第２ギア
【図１】
2019537495.tif 000003
【図２】
2019537495.tif 000004
【図３】
2019537495.tif 000005
【図４】
2019537495.tif 000006
【図５】
2019537495.tif 000007
【図６】
2019537495.tif 000008
【図７】
2019537495.tif 000009
【図８】
2019537495.tif 000010
【図９】
2019537495.tif 000011
【図１０】
2019537495.tif 000012
【図１１】
2019537495.tif 000013
【図１２】
2019537495.tif 000014
【図１３】
2019537495.tif 000015
【図１４】
2019537495.tif 000016
【図１５】
2019537495.tif 000017
【図１６】
2019537495.tif 000018
【図１７】
2019537495.tif 000019
【国際調査報告】
2019537495.tif 000020
2019537495.tif 000021
2019537495.tif 000022
2019537495.tif 000023